(57)【要約】【課題】  本発明は記憶媒体読み出し装置を備える写真印刷自動販売機に関し、メモリーカードの挿入口を単一に構成することにより、利用者がメモリーカードの種類を知らない場合でも誤挿入を防止するものである。【解決手段】  本発明はメモリーカードＦの種類にかかわらずに挿入できる１つの挿入口を設け、内部で部材Ｄ、部材Ｗ、部材Ｔを当接するまでモータで摺動させ、奥行き、幅、厚みを測定し、メモリーカードＦの種類を判別する。制御部は、対応するアダプタＨでメモリーカードＦを受け、データを取り出し、操作処理を行ってプリントアウトを行う。また、メモリーカードＦの表裏を切り欠き用のセンサＩ１，Ｉ２で判別し、必要に応じて１８０度の回転を行い、正確なメモリーカードＦの挿入を行う構成である。【選択図】  図２
2005078192.tif 000002
【特許請求の範囲】
【請求項１】
挿入された記憶媒体から情報を読み出す記憶媒体読み出し装置において、
前記記憶媒体を挿入する単一の挿入口と、前記記憶媒体を載置し移動する部材とより成る挿入移動手段と、
挿入された前記記憶媒体の奥行き、幅、厚みを測定する測定手段と、
該測定手段による測定結果に基づいて前記記録媒体の種別を判断する判断手段と、
該判断手段の判断に基づいて、前記記録媒体が搬入されるアダプタ手段と、
を有することを特徴とする記憶媒体読み出し装置。
【請求項２】
前記記憶媒体の奥行き、及び幅を測定するための複数の幅方向に並べた細分化した部材を有し、該複数の幅方向に並べた細分化した部材のをそれぞれ摺動させ、細分化した部材の本数を計測することにより、前記記憶媒体の幅を算出することを特徴とする請求項１記載の記憶媒体読み出し装置。
【請求項３】
前記記録媒体の所定箇所を測定する検出センサを有し、該検出センサによる情報から前記記憶媒体の表裏を判別し、表裏が逆の場合には前記記憶媒体の表裏を反転させることを特徴とする請求項１、又は２記載の記憶媒体読み出し装置。
【請求項４】
前記記録媒体は、コネクタ部が誤挿入防止構造を持ち、該誤挿入防止構造によって前記記録媒体の表裏が反対であると判断する時、前記挿入移動手段を使用して前記記録媒体を引き下げ、再度前記記憶媒体を挿入させることを特徴とする請求項１、２、又は３記載の記憶媒体読み出し装置。
【請求項５】
赤外線センサの発光部を一面に備えた赤外線センサ発光部と、赤外線センサの受光部を一面に備えつけた赤外線センサ受光部と、前記赤外線センサ発光部を発光させると共に、前記赤外線センサ受光部からの情報により、前記記憶媒体の奥行き、幅、及び面積を算出し、前記記憶媒体の種類を判別することを特徴とする請求項１、２、３、又は４記載の記憶媒体読み出し装置。
【請求項６】
前記記憶媒体読み出し装置は、前記記憶媒体に記憶された画像データを読み出し、記録紙に対して前記画像データに基づく画像の印刷処理を行う写真印刷自動販売機であることを特徴とする請求項１、２、３、４、５記載の記憶媒体読み出し装置。
【発明の詳細な説明】
【技術分野】
【０００１】
本発明は、メモリーカード、メモリースティック、コンパクトフラッシュ（登録商標）等の平面型記憶媒体を挿入し、当該記憶媒体のデ−タを読み出す記憶媒体読み出し装置に関わり、特に記憶媒体から読み出された画像データを用いてデジタルプリントを行う写真印刷自動販売機に関する。
【背景技術】
【０００２】
今日、街中や大型電気製品量販店の中には、記憶媒体読み出し装置を内蔵する写真印刷自動販売機が設置されている。この写真印刷自動販売機は、各種のメモリーカードを受け入れ、料金を入れて操作ボタンを押すことによって、メモリーカードに記憶された写真画像データに基づいて昇華型プリンタ等により記録紙に対して写真印刷を高速に行うものである。この場合、各種メモリーカードの挿入口は、各メモリーカードの種類に対応して種類別に複数設けられている。
【０００３】
つまり、各種メモリーカードに対応したカード挿入口があり、メモリーカードには、メモリースティック（登録商標）やコンパクトフラッシュ（登録商標）、ＳＤカード、スマートメディア（登録商標）、フロッピイ（登録商標）ディスク、ＰＣカード等が使用され、それぞれのカードの形状や大きさが異なる。この為、利用者はメモリーカードの種別を判断し、所有するメモリーカードに対応した挿入口にカードを挿入し、自動的に写真印刷を行っている。
【０００４】
特許文献１は上記構成の写真印刷自動販売機が記載され、プリンタユニット内のコントロ−ル部で行われる撮像デ−タと広告画像の合成処理を行い、任意の位置に広告画像を印刷する発明である。
【特許文献１】特開２００１−３２５６６２
【発明の開示】
【発明が解決しようとする課題】
【０００５】
しかしながら、利用者が所有するメモリーカードの種類を知らない場合、誤って異なった挿入口にカードを挿入する場合がある。この為、カードが破損し、又カード挿入口からカードを取り出せなくなる場合もある。
【課題を解決するための手段】
【０００６】
上記課題は本発明によれば、記憶媒体を使用し、画像を印刷する写真印刷自動販売機において、前記記憶媒体を挿入する単一の挿入口と、前記記憶媒体を載置し移動する部材とより成る挿入移動手段と、挿入された前記記憶媒体の奥行き、幅、厚みを測定する測定手段と、該測定手段による測定結果に基づいて前記記録媒体の種別を判断する判断手段と、該判断手段の判断に基づいて、前記記録媒体が搬入されるアダプタ手段とを有する写真印刷自動販売機を提供することによって達成できる。
【０００７】
例えば、コンパクトフラッシュ（登録商標）等の平面型記憶媒体の挿入口を共通な１つの構成とし、記録媒体挿入後、幅、奥行き、厚みを測定するために使う各部材をメモリーカードに当接するまで移動させる。制御部では、メモリーカードの幅、奥行き、厚みを換算すると共にメモリーカードの種類を判断する。そして、種類に適合するアダプタを選択してメモリーカードを挿入する。
【０００８】
このように構成することにより、単一のカード挿入口を使用する場合でも、誤りなくメモリーカードを対応するアダプタにセットすることができる。
また、前記記憶媒体の奥行き、及び幅を測定するための複数の幅方向に並べた細分化した部材を有し、該複数の幅方向に並べた細分化した部材のをそれぞれ摺動させ、細分化した部材の本数を計測することにより、前記記憶媒体の幅を算出する構成としてもよい。
【０００９】
また、前記記録媒体の所定箇所を測定する検出センサを有し、該検出センサによる情報から前記記憶媒体の表裏を判別し、表裏が逆の場合には前記記憶媒体の表裏を反転させる構成としてもよい。
また、前記記録媒体は、コネクタ部が誤挿入防止構造を持ち、該誤挿入防止構造によって前記記録媒体の表裏が反対であると判断する時、前記挿入移動手段を使用して前記記録媒体を引き下げ、再度前記記憶媒体を挿入させる構成としてもよい。
【００１０】
さらに、赤外線センサの発光部を一面に備えた赤外線センサ発光部と、赤外線センサの受光部を一面に備えつけた赤外線センサ受光部と、前記赤外線センサ発光部を発光させると共に、前記赤外線センサ受光部からの情報により、前記記憶媒体の奥行き、幅、及び面積を算出し、前記記憶媒体の種類を判別する構成としてもよい。
【発明の効果】
【００１１】
本発明によれば、各種のメモリーカードを共通のカード挿入口で受け入れ、幅、奥行き、厚みで種類を判断して自動受け入れを行うため、誤挿入及び誤挿入によるカードの破損、カードの詰まり等を無くすことができる。また、使用者も挿入時にメモリーカードの種類を意識する必要が無くなる。
【００１２】
また、メモリーカードの切り欠き部をセンシングして表裏を判断し、アダプタに受け入れる。若しくは、コンパクトフラッシュ（登録商標）等の切り欠きのないカードは、挿入不能時にアダプタを反転して再挿入する。よって、利用者はメモリーカードの表裏を気にすることなく挿入することができる。
【００１３】
また、メモリーカードの方向調整を支持軸と回転テ−ブルで行い、利用者はメモリーカードの挿入方向を気にする必要がない。
さらに、赤外線センサ又はＣＣＤカメラ等で撮像した画像を処理し、大きさの測定により、メモリーカードの種類の判別、挿入を行うことができる。
【発明を実施するための最良の形態】
【００１４】
以下、本発明の実施の形態を図面を参照しながら説明する。
（実施形態１）
図１は本実施形態の記憶媒体読み出し装置を含む写真印刷自動販売機の外観図である。
同図において、写真印刷自動販売機１は直方体の筐体形状を持ち、モニタ１は利用者の操作により、挿入したメモリカードに記録された画像情報を表示する。例えば、サムネイル表示や１枚毎の写真画像を表示する。
【００１５】
操作ボタン２は利用者が操作するボタンであり、利用者はサムネイル表示される写真画像から印刷を希望する写真を選択し、又印刷枚数の指定や、印刷条件の指定を行う。
カード挿入口３は、各種のメモリーカードが挿入された場合でも対応できる共通のカード挿入口であり、本発明の要部を構成する。また、本例においてカード挿入口３は単一であり、共通のカード挿入口である。
【００１６】
商品取り出し口４には、印刷が完了した写真が出力され、利用者が写真を取り出す際使用する。
また、投入金用ディスプレイ５は利用者の投入金額を表示し、コイン挿入口６は硬貨を投入する挿入口であり、紙幣挿入口７は紙幣を挿入する挿入口であり、更に釣り銭取り出し口８には、釣り銭が出力される。
【００１７】
以下に、本例の特徴であるメモリーカード挿入口３の内部構成を説明する。図２は、メモリーカード挿入口３内部の基本構成であり、挿入するメモリーカード（以下、メモリーカードＦで示す）の自動測定の構成を上方から見た構成を示す図である。
先ず、蓋Aは、メモリーカード挿入口３の蓋である。部材Ｄ、部材Ｗ、部材Tは、それぞれメモリ−カ−ドFの一辺の大きさを測定するための部材である。例えば、部材Ｄはメモリ−カ−ドFの奥行きを測定するための部材であり、部材Ｗはメモリ−カ−ドＦの幅を測定するための部材であり、部材Tはメモリ−カ−ドFの厚みを測定するための部材である。
【００１８】
上記部材Ｄ、部材Ｗ、部材Ｔは、それぞれ独立した図示しないモータで駆動される。また、不図示の制御部は、それぞれの部材Ｄ、Ｗ、Ｔの移動距離を計測し、設定値（基準値）からの移動距離に従って挿入されたメモリーカードＦの奥行き、幅、厚みを算出する。尚、壁面Cは固定された部材であり、メモリーカードFの一端を支持する。
【００１９】
次に本例の動作を説明する。
写真印刷自動販売機の利用者は、メモリーカードFをメモリーカード挿入口３に挿入する。この時、使用者はメモリ−カ−ドFの種類を気にする必要はない。その後、メモリーカードFが挿入されると、蓋Aが閉じる。
【００２０】
蓋Aが閉じられた後、前述の制御部の制御により、部材D、部材W、部材TがそれぞれメモリーカードFに向かって移動する。例えば、部材Dは蓋Aに向かって水平にメモリーカードFに当接するまで動き、部材Wは壁面Cに向かって水平にメモリーカードFに当接するまで動き、部材Tは垂直方向にメモリーカードFに向かって当接するまで動き、それぞれ停止する。つまり、部材D、部材W、部材Tは、それぞれX軸方向、Y軸方向、Z軸方向に摺動可能に支持され、蓋Aが閉じられると、例えば各方向別に設けられたモ−タの駆動により摺動し、メモリーカードFを挟み込んで停止する。そして、この時の各部材の摺動ストロ−クを前述のように計測し、メモリーカードＦの奥行き、幅、厚みを測定する。
【００２１】
メモリーカードFの奥行き、幅、厚みが測定されると、制御部は予め記憶してあるデ−タと照合し、メモリーカードFの奥行き、幅、厚みからメモリーカードＦの種類を認識する。そして、認識したメモリーカードＦの種類に該当するアダプタＨに挿入処理を行う。
図３及び図４は、メモリーカードＦの挿入の構成を示す図である。図３は、本例のメモリーカードＦをアダプタＨに挿入する構成を示す側面図である。アダプタＨは、内部にアダプタＨ１、Ｈ２、Ｈ３、Ｈ４、Ｈ５を有する。また、アダプタＨは、不図示の制御部の制御により上下に移動可能である。さらに、アダプタＨ１、Ｈ２、Ｈ３、Ｈ４、Ｈ５は、それぞれ対応する規格の各メモリーカードF１、Ｆ２、Ｆ３、Ｆ４、Ｆ５を受け入れる構造である。尚、挿入用部材Gは、メモリーカードFを対応するアダプタＨ１、Ｈ２、Ｈ３、Ｈ４、Ｈ５に挿入する部材である。
【００２２】
図４はメモリーカードFをアダプタHに挿入する状態を、上方から見た図である。制御部の制御によってメモリーカードFは対応するアダプタＨ１、Ｈ２、Ｈ３、Ｈ４、Ｈ５に挿入される。
上記のように、本例では利用者がメモリーカードFをメモリーカード挿入口３に挿入すると、メモリ−カ−ドFの種類を測定する部材Ｄ、部材Ｗ、部材Ｔが移動し、奥行き、幅、厚みを測定し自動的にカードの種類判別し、挿入用部材Gにより該当するアダプタHに自動挿入される。この後、利用者が操作を行い、メモリーカードF内の画像を処理し、写真画像がプリントアウトされる。
【００２３】
次に上記実施形態１の変形例を説明する。
図５は、変形例その１の構成を示す。同図は奥行きを測定する部材を細分化し、メモリーカードＦの幅を測定する構成であり、メモリーカードＦの測定の状態を上方から見た図である。尚、同図は前述の図２に対応する。
【００２４】
本変形例その１は、メモリーカードFの奥行きを測定する部材Dをｄ１、ｄ２、ｄ３、ｄ４、ｄ５、ｄ６、ｄ７、ｄ８、ｄ９、・・・と幅方向に並べて細分化したものである。これらは、例えば不図示のモータで駆動される。この構成により、本変形例その１は、細分化された部材ｄ１、ｄ２、ｄ３、ｄ４、ｄ５、ｄ６、ｄ７、ｄ８、ｄ９・・・により、メモリーカードFの幅を測定することができる。
【００２５】
尚、予め部材ｄ１は、固定されている部材Cと接する位置にあり、細分化された各ｄｘの横幅は、各種メモリーカードＦの幅をおおよそ測定できる狭い幅とする。また、図５は一例であり、各部材ｄｘの幅がより狭く、一定距離内の数が多ければ多い程正確さが増す測定が可能である。
【００２６】
本変形例の場合、先ず部材WをメモリーカードFに当接するまで移動する。この状態で部材Cと部材Wの距離は、メモリーカードFの幅と等しくなる。次に、部材Wの動きによる測定から換算した距離より、制御部は部材各ｄｘの稼動する本数を計算し、決定する。メモリーカードＦの幅よりも狭い最大の本数を決定する。
【００２７】
例えば、図５の場合稼動本数は５本である。制御部は、部材ｄ１、ｄ２、ｄ３、ｄ４、ｄ５をメモリ−カ−ドＦに向けて摺動させる。制御部は、部材ｄ１、ｄ２、ｄ３、ｄ４、ｄ５がメモリーカードＦに当接する距離動いたことを確認する。これにより、メモリーカードＦの幅が、ｄ１、ｄ２、ｄ３、ｄ４、ｄ５の和以上であることを確実に測定できる。
【００２８】
また、制御部は、部材ｄ６、ｄ７、ｄ８、ｄ９・・・をメモリーカードFに向けて摺動させ、ｄ６、ｄ７、ｄ８、ｄ９、・・・が部材Ｗに当接し、その分の摺動の距離を検出すれば、メモリーカードＦの幅が、ｄ１、ｄ２、ｄ３、ｄ４、ｄ５、ｄ６の和以内であることが判断できる。
【００２９】
そして、制御部は上記２つを同時に行えば、つまり各部材ｄ１、ｄ２、ｄ３、ｄ４、ｄ５、ｄ６、ｄ７、ｄ８、ｄ９、・・・・の結果と合わせればより正確な距離を測定できる。よって、メモリ−カ−ドＦの幅が、ｄ１、ｄ２、ｄ３、ｄ４、ｄ５の和以上でｄ１、ｄ２、ｄ３、ｄ４、ｄ５、ｄ６以下であることがわかる。
【００３０】
尚、予め本数を計算せずに部材ｄ１、ｄ２、ｄ３、ｄ４、ｄ５、ｄ６、ｄ７、ｄ８、ｄ９・・・を摺動させ、そのうちメモリーカードFに当接する部材の本数により、メモリーカードFの幅を推定及び測定する方法もある。
次に、変形例その２を説明する。
【００３１】
図６は、変形例その２の構成を示す。同図は、上記図５を更に変形させたものである。図６は、厚みを測定する部材Ｔを細分化し、メモリーカードの面積を測定する構成であり、測定状態を上方から見た図である。メモリーカードＦの厚みを測定する部材Ｔが、ｔ１１、ｔ１２、ｔ１３、・・・、ｔ２１、ｔ２２、ｔ２３、・・・、ｔ３１、ｔ３２、ｔ３３、・・・に分割されている。これは、厚みを測定する部材Ｔを細分化して幅方向と奥行き方向に並べて使うことにより、メモリーカードＦの大きさ、若しくは面積を測定するものである。
【００３２】
尚、図６は一例であり、各部材ｔが小さく、数が多ければ正確さが増すことは勿論である。
次に動作を示す。部材Ｗ及び各部材ｄ１、ｄ２、ｄ３、ｄ４、ｄ５、ｄ６、ｄ７、ｄ８、ｄ９・・・・によって測定されたメモリーカードＦの幅と奥行きに合わせて稼動する部材ｔｘｙ及びその数を決定する。同図では、制御部は各部材ｔｘｙのうちｔ１１、ｔ１２、ｔ２１、ｔ２２、ｔ３１、ｔ３２がメモリーカードＦに当接するまで稼動する。実際に稼動して当接することにより、メモリーカードＦの大きさを正確に計測できる。
【００３３】
また、厚みを測定する各部材ｔｘｙのみ細分化し、奥行きを測定する部材Ｄは細分化しない構成としてもよい。
（実施形態２）
次に、本発明の実施形態２について説明する。
【００３４】
先ず、実施形態２の構成を示す。メモリーカードＦには、挿入方向前面に表裏を明確にするため切り欠きがあるものがある。切り欠きがあるものとしては例えばスマートメディア、メモリスティック、ＳＤカ−ド等がある。
図７は、切り欠き検出用のセンサを含めたメモリーカード挿入口３の内部構成を示す図である。尚、前述の図２と同じ構成部分の説明は省略する。
【００３５】
本例では、切り欠き検出用のセンサＩ１、Ｉ２を設けている。センサＩ１、Ｉ２は、挿入したメモリーカードＦの挿入方向前面の両側のコーナ部分にそれぞれ切り欠きがあるかどうか検出する。
図８は、メモリーカード挿入口３内を上方から見た図である。尚、本例では不図示の構成により、メモリーカードＦの表裏を逆転させる回転機構が設けられている。
【００３６】
以下に動作を示す。メモリーカードFが挿入された後、蓋Aが閉じる。蓋Aが閉じられた後、部材D、部材W、部材Tは、それぞれモータの駆動によりメモリーカードFに向かって動く。部材Dは蓋Aに向かって水平にメモリーカードFに当接するまで移動し、部材Wは部材Cに向かって水平にメモリーカードFに当接するまで移動し、部材ＴはメモリーカードＦに向かって当接するまで移動する。そして、当接した位置で部材Ｄ、部材Ｗ、部材Ｔは停止し、この時センサＩ１、Ｉ２は制御部の制御により、それぞれ挿入方向前面の両側のコーナー部分に移動する。ここで、センサＩ１、Ｉ２は、例えば光の照射と反射によりメモリーカードＦの切り欠きの有無を検出する。
【００３７】
これにより、メモリーカードＦの表裏が認識できる。同時に、各部材Ｄ、Ｗ、Ｔの摺動ストロ−クに基づいてメモリーカードＦの奥行き、幅、厚みが測定され、メモリーカードＦの種類が判別される。
次に制御部がメモリーカードＦの種類のアダプタＨを選択する。そして、制御部は、検出した表裏に対応するようにメモリーカードＦを回転させる。その後に、制御部の制御により導入用部材ＧがアダプタＨの方向に動き、メモリーカードＦがアダプタＨに挿入される。
【００３８】
次に、上記実施形態２の変形例を示す。
メモリーカードＦの中には、例えばコンパクトフラッシュ（登録商標）など切り欠きがないものがある。したがって、上記の切り欠きをセンサで判別する方法では、表裏を判別できない。そこで、別の方法を説明する。
【００３９】
図９は、コンパクトフラッシュ（登録商標）Ｆｃをコネクタ側から見た状態を示す図である。同図のコネクタＱの右側の溝の方が左側の溝よりも大きくなっている。これは、誤挿入防止のため、コネクタＱの左右で溝の大きさを変えているのである。
受け側のコネクタは対応する突起部の大きさを相方のコネクタの溝の大きさに合わせて左右違う大きさにしている。よって、コンパクトフラッシュ（登録商標）Ｆｃ用のアダプタＨには、表裏反対では、コンパクトフラッシュ（登録商標）Ｆｃを挿入できない。コンパクトフラッシュ（登録商標）Ｆｃのコネクタの小さい溝に、アダプタＨ側のコネクタの大きい突起部がぶつかり、勘合できないためである。したがって、導入用部材Ｇが途中までしかコンパクトフラッシュ（登録商標）Ｆｃを押すことができない。
【００４０】
そこで、本例ではコンパクトフラッシュ（登録商標）ＦｃをアダプタＨに押し込めない場合、その状態を制御部が検出し認識する。制御部は押し込めない状態を認識すると、直ちに導入用部材Ｇを引き下げてコンパクトフラッシュ（登録商標）Ｆｃを引き下げる。そして、制御部はアダプタＨを１８０度回転させて表裏逆の状態を解消する。
【００４１】
次に、制御部は導入用部材Ｇを再度、アダプタＨ方向に摺動させてコンパクトフラッシュ（登録商標）Ｆｃを挿入する。コンパクトフラッシュ（登録商標）Ｆｃは、コネクタの溝とアダプタ−Ｈのコネクタの突起部が左右両側で合うので勘合し、アダプタＨに挿入される。
このように、本変形例では、コンパクトフラッシュ（登録商標）Ｆｃなど切り欠きのない場合でも表裏の判別が可能であり、有効である。
【００４２】
（実施形態３）
次に、本発明の実施形態３を説明する。
尚、本例の説明では、前述の実施形態１及び２と異なる構成を記述する。図１０に、メモリーカードを支持する４軸を持つ回転テ−ブルＪの構成を示す。メモリーカードＦの４辺に接する４つの支持軸ｊ１、ｊ２、ｊ３、ｊ４を持つ回転テ−ブルである。メモリーカードＦは、この回転テ−ブルＪに載っている。
【００４３】
本例の動作を説明する。制御部が奥行き、幅、厚みを測定したところ、制御部のメモリにある各メモリーカードＦのデ−タと合わずに向きが違うことが判明する場合がある。これはメモリーカードＦが、本来の挿入方向に対して正しく挿入されていないことが原因である。
【００４４】
そこで、制御部はメモリーカードを囲む部材Ｄ、部材Ｗ、部材Ｔを外し、回転テ−ブルに載せる。制御部は４軸つまりｊ１、ｊ２、ｊ３、ｊ４でメモリ−カ−ドＦを支持し回転テ−ブルＪを該当する回転量分だけ回転する。回転した後は、導入用部材Ｇにメモリ−カ−ドＦを載せて、移動させてアダプタＨに挿入する。
【００４５】
よって、本例によりどの方向にメモリーカードＦが挿入されても回転テ−ブルＪの構造によりメモリーカードＦを本体に接続させることができる。
（実施形態４）
次に、本発明の実施形態４を説明する。
【００４６】
本例では、多数の赤外線センサｋでメモリーカードＦの大きさを測定する。図１１は、赤外線センサｋを使用したメモリーカードＦの大きさを測定するための構成を上方から見た図である。
また、図１２は図１１の断面図である。赤外線センサ発光部Ｋ１から発光された光は、赤外線センサ受光部Ｋ２で受光される。また、メモリーカードＦを両赤外線センサの間に入出する図示しない機構を持つ。
【００４７】
以下、動作説明を行う。赤外線センサｋの位置にメモリーカードＦがある場合、赤外線センサｋの光は遮られる。よって、制御部は遮断された赤外線センサ−ｋを認識することにより、メモリカードＦの大きさを測定することができる。また、サイズが分かることにより、メモリーカードＦの種類の判別ができる。
【００４８】
また、本測定方法は厚みを測定する方法にも適用できる。このとき、赤外線センサｋがメモリーカードＦの厚みより小さいものでなければならない。厚みを測定したことにより、制御部は厚みも含めた上でのメモリーカードＦの種類判別を行う。
尚、メモリーカードＦをＣＣＤカメラ等により撮影し、制御部がこれを画像処理、画像照合することにより、メモリーカードＦの種類を判別する構成としてもよい。
【００４９】
また、メモリーカードＦの厚み方向にもＣＣＤカメラを用いた画像処理を行い、厚みも含めて、メモリーカードＦの種類判別を行う構成としてもよい。
更に、前述の実施形態では、本発明の記憶媒体読み出し装置を写真印刷自動販売機に適用した例について述べたが、本発明はこれに限られることなく、記憶媒体を装填して記憶媒体に記憶された情報を読み出し、利用する装置であれば、どのような装置にも本発明を適用することが可能である。例えば、装填された記憶媒体から記憶データを読み出して利用するパーソナルコンピュータ、プリンタ装置、データ表示装置などに本発明の構造を採用することが可能である。
【図面の簡単な説明】
【００５０】
【図１】本発明の装置の外観図である。
【図２】メモリーカード挿入口内部の自動測定の構成を上方から見た図である。
【図３】メモリーカードをアダプタに挿入する構成の側面図である。
【図４】メモリーカードをアダプタに挿入する構成を上方から見た図である。
【図５】奥行きを測定する部材を細分化し、メモリーカードの幅を測定する構成を示す図である。
【図６】厚みを測定する部材を細分化し、メモリーカードの面積を測定する構成を示す図である。
【図７】切り欠き検出用のセンサを含めたメモリーカード挿入口内部の自動測定の構成を説明する図である。
【図８】メモリーカードを回転可能なアダプタに挿入する構成を説明する図である。
【図９】コンパクトフラッシュ（登録商標）をコネクタ側から見た図である。
【図１０】メモリーカードを支持する４軸を持つ回転テ−ブルの構成を示す図である。
【図１１】赤外線センサを使用したメモリーカードの大きさを測定するための構成を示す図である。
【図１２】赤外線センサを使用したメモリーカードの大きさを測定するための構成の示す断面図である。
【符号の説明】
【００５１】
１    モニタ
２    操作ボタン
３    メモリ−カ−ド挿入口
４    商品取り出し口
５    投入金等用ディスプレイ
６    コイン挿入口
７    紙幣挿入口
８    つり銭取出し口
Ａ    蓋（挿入口）
Ｃ    部材（固定）
Ｄ    部材（奥行き測定用）
ｄ１、ｄ２、ｄ３、ｄ４、ｄ５、ｄ６、ｄ７、ｄ８、ｄ９    （細かい）部材（奥行き測定用）
Ｆ    メモリ−カ−ド
Ｆｃ    コンパクトフラッシュ（登録商標）
Ｇ    挿入用部材
Ｈ、Ｈ１〜Ｈ５    アダプタ
Ｉ１、Ｉ２    センサ
ｊ１、ｊ２、ｊ３、ｊ４    固定軸
ｋ    赤外線センサ
Ｋ１    赤外線センサ−発光部
Ｋ２    赤外線センサ−受光部
Ｔ    部材（厚み測定用）
Ｗ    部材（幅測定用）
【図１】
2005078192.tif 000003
【図２】
2005078192.tif 000004
【図３】
2005078192.tif 000005
【図４】
2005078192.tif 000006
【図５】
2005078192.tif 000007
【図６】
2005078192.tif 000008
【図７】
2005078192.tif 000009
【図８】
2005078192.tif 000010
【図９】
2005078192.tif 000011
【図１０】
2005078192.tif 000012
【図１１】
2005078192.tif 000013
【図１２】
2005078192.tif 000014